(57)【要約】【課題】心理的な要因による打撃感を向上させ、打撃時の集中度の向上およびゴルフクラブの把持姿勢の向上、ゴルフクラブの運用の適時化を身につけることができるゴルフクラブのヘッドアセンブリーを提供する。【解決手段】ゴルフクラブのヘッドＨに、サウンド発生手段または振動発生手段を備え、前記サウンド発生手段は、ドライバーのヘッドＨに穿孔されるサウンド孔、付着されるサウンド管体、隔璧体、アイアンに付着されるサウンド球などを有するので、本発明のゴルフクラブのヘッドの使用によって、緩やかにゴルフクラブを運用するようになり、バックスイング時の好ましくない急激なゴルフクラブの運用などを防止することができ、ヘッドアップを最小化するなどの効果がある。【選択図】図２a
2007044148.tif 000002
【特許請求の範囲】
【請求項１】
ゴルフクラブのヘッドアセンブリーであって、
前記ゴルフクラブであるドライバーのヘッドの胴体の内方のキャビティと外部の大気とを連通する１つ以上のサウンド管、開放部である切開されたスリット形状のサウンドスリット、穿孔されたサウンド孔のうちいずれかの１種または２種以上を組み合わせて前記ヘッドに備えたサウンド発生手段を有することを特徴とするゴルフクラブのヘッドアセンブリー。
【請求項２】
前記ドライバーの前記ヘッドの前記胴体の内方の前記キャビティは、前記胴体の内方の領域を分割する１つ以上の隔璧を備えることを特徴とする請求項１記載のゴルフクラブのヘッドアセンブリー。
【請求項３】
ゴルフクラブのヘッドアセンブリーであって、
前記ゴルフクラブであるドライバーのヘッドの胴体の内方のキャビティの空間領域を分割する金属隔璧である共振隔璧を１つ以上前記ヘッドに備えたサウンド発生手段を有し、前記共振隔壁は、定形または非定形で配設されて、前記キャビティを部分的にまたはすべてを分割することを特徴とするゴルフクラブのヘッドアセンブリー。
【請求項４】
ゴルフクラブのヘッドアセンブリーであって、
前記ゴルフクラブであるドライバーのヘッドの胴体によって形成されるキャビティの内方に、前記ヘッドの打面の前記キャビティ側の面の質量中心点から前記キャビティの内方の方へ直立した連結軸の端部に、所定以上の質量を有する振動ボールまたは振動管体を取り付けて振動発生手段を構成したことを特徴とするゴルフクラブのヘッドアセンブリー。
【請求項５】
ゴルフクラブのヘッドアセンブリーであって、
前記ゴルフクラブであるアイアンのヘッドの打面の反対側の背面にゴルフボールの形状などの所定の形状の中空体であるサウンド球を有し、前記サウンド球は、所定の形状の１つ以上の穿孔体であるサウンド孔、またはスリット穿孔体であるサウンドスリットをサウンド発生手段として具備することを特徴とするゴルフクラブのヘッドアセンブリー。
【請求項６】
ゴルフクラブのヘッドアセンブリーであって、
前記ゴルフクラブであるパターのヘッドの上面から後方へ延長する視線ガイド板の底面に着脱可能であり、その内方に傾斜角を有し、前記ヘッドのバックスイングのトップの時点で前記傾斜角を克復してガイド流動されて壁面との衝突でサウンドまたは振動を発生するサウンドディスクまたはサウンドボールを収納したサウンドユニットをサウンド発生手段として有することを特徴とするゴルフクラブのヘッドアセンブリー。
【請求項７】
ゴルフクラブのヘッドアセンブリーであって、
前記ゴルフクラブであるパターのヘッドの後方の背面から延出する等間隔の振動発生体で金属板体である複数個のサウンドピンをサウンド発生手段として備えたことを特徴とするゴルフクラブのヘッドアセンブリー。
【請求項８】
ゴルフクラブのヘッドアセンブリーであって、
ゴルフクラブのひとつであるドライバーのヘッドの胴体の内方のキャビティ内に、前記ヘッドの底面でキャップにより開閉が可能であり傾斜角を備えながら固定される中空管体である感知管体と、前記感知管体の内方に投入され、前記ヘッドのトップの時点で前記傾斜角を克復して壁面との衝突でサウンドまたは振動を発生させる感応ボールとを有するサウンド発生手段または振動発生手段を具備することを特徴とするゴルフクラブのヘッドアセンブリー。
【発明の詳細な説明】
【技術分野】
【０００１】
本発明はゴルフクラブのヘッドアセンブリーに関するもので、もっと詳細にはドライバー、アイアン、パター、フェアウェイウッドなどの様々なゴルフクラブのヘッドの構成を改善してゴルファーに好ましい打撃習慣を身につけることができ、ゴルフクラブの運用の効率性が良くなるようにする構成のゴルフクラブのヘッドアセンブリーの提供に関するものである。
【背景技術】
【０００２】
ゴルフはマインドゲームと言われるほどで、心理的な要因が重要な要素で個々人の性格が反映されるために、正確なゴルフ感覚を形成しにくく、特に初心者の場合は、性急なゴルフクラブの運用で望ましくないゴルフの姿勢が身につくことになるので、このようなことを容易に矯正しにくい問題点がある。
【０００３】
ゴルフで重要であると認識されながらも、ゴルファーたちが容易に身につけることができない要点は、次のようなものがある。バックスイングをゆっくりして、打撃姿勢を乱れさせることなく、ゴルフボールの進路の正確な設定を可能としなければならない。また手首だけを用いるコーキング（cocking）現象を最小化しなければならなく、バックスイング（Back swing:ショットのためにクラブを後方に後進させるモーション）のスタートのときに反動は禁じなければならなく、左の肩をゆっくりと回さなければならなく、スイングの動作をゆっくりするようにしなければならない。さらにバックスイングのトップ（top）時点で１テンポくらい遅くしてダウンスイングをしなければならなく、バックスイングの時に下体の搖動または動きを極小化しなければならない。
【発明の開示】
【発明が解決しようとする課題】
【０００４】
このような重要なゴルフの姿勢は熟知されていて、初心者たちは実際に自分自身で意識し、このような正しいゴルフ姿勢を堅持しようと努力するものの、大部分は心理的な早急さ、視覚的な集中度の低下のために、実際には目的が達成できない。また、このような姿勢矯正に集中をすることになれば、実際の打撃は打撃点から逃れるなど、多重の要求される他の要件が充足できないことが一般的である。
【０００５】
本発明の課題は、パター、アイアン、ドライバー（フェアウェイウッドを含む）などのゴルフクラブのヘッド部に適用されて心理的な要因による打撃感を向上させ、打撃時の集中度の向上およびゴルフクラブの把持姿勢の向上、ゴルフクラブの運用の適時化を身につけることになり、飛距離を増大するなどの作用効果を有するゴルフクラブのヘッドアセンブリーを提供することにある。
【課題を解決するための手段及び発明の効果】
【０００６】
上記課題を解決するための本発明のゴルフクラブのヘッドアセンブリーの第一は、
ゴルフクラブであるドライバーのヘッドの胴体の内方のキャビティと外部の大気とを連通する１つ以上のサウンド管、開放部である切開されたスリット形状のサウンドスリット、穿孔されたサウンド孔のうちいずれかの１種または２種以上を組み合わせてヘッドに備えたサウンド発生手段を有することを特徴とする。
【０００７】
また、ドライバーのヘッドの胴体の内方のキャビティは、胴体の内方の領域を分割する１つ以上の隔璧を備えるように構成することができる。
【０００８】
上記構成によれば、急激なスイングを行うとサウンドが誘発されるから、ゴルファーは、サウンドが誘発されないように、ゆっくりとスイングする習慣を身につけることができる。
【０００９】
さらに、上記課題を解決するための本発明のゴルフクラブのヘッドアセンブリーの第二は、ゴルフクラブであるドライバーのヘッドの胴体の内方のキャビティの空間領域を分割する金属隔璧である共振隔璧を１つ以上ヘッドに備えたサウンド発生手段を有し、共振隔壁は、定形または非定形で配設されて、キャビティを部分的にまたはすべてを分割することを特徴とする。
【００１０】
上記課題を解決するための本発明のゴルフクラブのヘッドアセンブリーの第三は、ゴルフクラブであるドライバーのヘッドの胴体によって形成されるキャビティの内方に、ヘッドの打面のキャビティ側の面の質量中心点からキャビティの内方の方へ直立した連結軸の端部に、所定以上の質量を有する振動ボールまたは振動管体を取り付けて振動発生手段を構成したことを特徴とする。
【００１１】
上記課題を解決するための本発明のゴルフクラブのヘッドアセンブリーの第四は、
ゴルフクラブであるアイアンのヘッドの打面の反対側の背面にゴルフボールの形状などの所定の形状の中空体であるサウンド球を有し、サウンド球は、所定の形状の１つ以上の穿孔体であるサウンド孔、またはスリット穿孔体であるサウンドスリットをサウンド発生手段として具備することを特徴とする。
【００１２】
上記課題を解決するための本発明のゴルフクラブのヘッドアセンブリーの第五は、
ゴルフクラブであるパターのヘッドの上面から後方へ延長する視線ガイド板の底面に着脱可能であり、その内方に傾斜角を有し、ヘッドのバックスイングのトップの時点で傾斜角を克復してガイド流動されて壁面との衝突でサウンドまたは振動を発生するサウンドディスクまたはサウンドボールを収納したサウンドユニットをサウンド発生手段として有することを特徴とする。
【００１３】
上記課題を解決するための本発明のゴルフクラブのヘッドアセンブリーの第六は、
ゴルフクラブであるパターのヘッドの後方の背面から延出する等間隔の振動発生体で金属板体である複数個のサウンドピンをサウンド発生手段として備えたことを特徴とする。
【００１４】
上記課題を解決するための本発明のゴルフクラブのヘッドアセンブリーの第七は、
ゴルフクラブのひとつであるドライバーのヘッドの胴体の内方のキャビティ内に、ヘッドの底面でキャップにより開閉が可能であり傾斜角を備えながら固定される中空管体である感知管体と、感知管体の内方に投入され、ヘッドのトップの時点で傾斜角を克復して壁面との衝突でサウンドまたは振動を発生させる感応ボールとを有するサウンド発生手段または振動発生手段を具備することを特徴とする。
【００１５】
以上の上記構成の本発明のゴルフクラブのヘッドアセンブリーは、ヘッドにサウンドの発生または振動発生の手段を具備するので、感覚的にヘッドの使用状態を感得することができるので、ゴルフクラブの慎重な運用が自然にゴルファーの身につき、パター等の重要なスイングの動作即ちバックスイングおよびヘッドアップの誘発などの好ましくない打球の姿勢を抑制させるなどの効果がある。
【発明を実施するための最良の形態】
【００１６】
本発明の好ましい構成と技術的な思想は、すべてのゴルフクラブに様々な実施例として、適用が可能であり、以下ではドライバー（以下、フェアウェイウッドを含む）、アイアン、パターに個々適用される実施例とその変形例の構成およびその作用効果を順次説明し、ゴルフクラブの形状と種類が異なっても、ヘッドの同一な部分に対する符号は同一に使用する。
【００１７】
本発明のゴルフクラブのヘッドアセンブリーは、ゴルファーの心理的な要因に基づいた間違ったゴルフの習慣を改善するために様々な構成のサウンドおよび振動の発生手段をゴルフクラブのヘッドに附加的に実現したことを基本的な特徴としている。
【実施例１】
【００１８】
図１ａは本発明がドライバーＤ１のヘッドＨに適用される第１実施例の例示的な斜視図であり、本発明のゴルフクラブのヘッドアセンブリーは、中空の密閉体を形成してその内方にキャビティＣＶを有する一般的な構成のドライバーＤ１のヘッドＨの打面Ｆの反対側面に、ドライバーＤ１のボーディ部ＢＤのキャビティＣＶの内方へ延び、キャビティＣＶと流体的に流通する長さが短いパイプの切断体である複数個のサウンド管１、２、３を固定して構成している。
【００１９】
また、第１変形例の図１ｂの断面図は、サウンド管１、２、３がドライバーＤのヘッドＨを構成する隔璧体Ｈ’に一体に固定して構成したことを図示し、更に、ヘッドＨのキャビティＣＶを中間部から分割する分割隔璧Ｐを附与してサウンド管１、２、３が構成される部分を隔離して、サウンド発生の効果を増大することができるところを表している。
【００２０】
図１ｃは、便宜のためにすべて共に表しているが、第１変形例の他の変形構成であるサウンド管の様々な変形態様を表す。ドライバーＤ２のヘッドＨを構成する隔璧体Ｈ’と一体で成形されて管体を構成し、該内径の壁面にねじ山１１’が形成されたサウンド管１１，ドライバーＤ１のヘッドＨの隔璧体Ｈ’とは別途の管体で構成されねじ固定または押し込みばめをして溶接などの方法により固定されたサウンド管１２，内径にねじ山がなく、該端部１３’が閉塞され、別途に製作されてドライバーＤ１のヘッドＨを構成する隔璧体Ｈ’に固定されるサウンド管１３、内方の管体上に発音声スリット１４’を形成して音声発生がもっと容易になるように形成したサウンド管１４などを、便宜のために共に集合された形態として表しているが、実際適用ではこれらの中に一つが選択されて使用されたり、複数個の混合の形態のサウンド管が複合的に用いられたりすることができる。上記のねじ山または発音声スリットなどは空気の渦流を誘導するので、音声発生効果を増進するためのものである。
【００２１】
本実施例の第２の変形例が図１ｄに図示され、ドライバーＤ３のヘッドＨを構成するボーディ部ＢＤの壁体Ｈ’上に打面Ｆの反対面の方から付着構成する様々な種類のサウンド管２１、２２を垂直、水平、傾斜角の方向などの様々な位置に存在させている。さらに打面Ｆ側の面にサウンド管２３を具備させてもよい。
【００２２】
図１ｅの本実施例の第３変形例のドライバーＤ４は、長手状の複数個の長手方向のスリットとしてボーディ部ＢＤの隔璧体Ｈ’が切開されて形成されたサウンドスリット３１、３２、３３、３４を有する。図１ｆの第４変形例のドライバーＤ５は、ボーディ部ＢＤの隔璧体Ｈ’に穿孔された複数のサウンド孔４１、４２、４３、４４を有する。図１ｇの第５変形例のドライバーＤ６は、ボーディ部ＢＤに星の形状に穿孔されたサウンド穿孔５１、５２、５３、５４を有する。ヘッドアセンブリーは、必要な場合は上記の開放されたサウンドスリット、サウンド孔、サウンド穿孔を閉塞するゴムまたは合成樹脂の蓋（図示せず）を備えることができるので、一般的なヘッドのように使用することもできるし、蓋を備えなければ、本発明のヘッドとして使用することもできる。
【００２３】
更に、図１ｈのように、前述と同様に分割隔璧Ｐを有するドライバーＤ７は、ボーディ部ＢＤに単一の長手状のサウンドスリット５５を有する構成とすることができ、また、図１ｉのようにドライバーＤ８の側面フェース５Ｆが流線型の凹面である場合もやはり長手状のサウンドスリット５６を有する構成とすることができるなど、ドライバーの形状と構成に従って様々な適用が可能であるが、基本的なアイディアは、一定速度以上のクラブのヘッドによる打球のときに、穿孔部と空気との摩擦によるサウンド発生効果を備えることである。
【００２４】
即ち、上記の実施例によって構成されたゴルフクラブのヘッドを用いれば、バックスイングのときの急激な角速度の変化による空気流動体は、様々な種類の発音声器具と協同して音響、即ち、サウンドが誘発されるから、ゴルファーはこれをすぐ感知できるので、ゴルファーはバックスイング時の音声発生が誘発されないようにゆっくりゴルフクラブを運用する習慣を身につけるようになる。
【実施例２】
【００２５】
図２ａは、本発明がドライバーに適用された第２実施例を表す斜視図であり、個々の変形例と共に発明する。ドライバーＤ９のヘッドＨは、内方の中空空間部であるキャビティＣＶを備えるように成形され、ヘッドＨの打面Ｆと連結されたボーディ部ＢＤのキャビティＣＶ内方に、サウンド発生用の共振隔璧Ｗによって分割された中空空間Ｇ１、Ｇ２を有し、共振隔璧Ｗは、十分に薄い厚さの金属隔璧体で、ドライバーＤ９のヘッドＨと同一な素材で成形時に一体で鋳物成形したり、別途の共振性の金属板材を隔璧体として固定して構成してもよい。
【００２６】
共振隔璧Ｗは、図２ｂの第２実施例の第１変形例のドライバーＤ１０のように、単一の直立した隔璧以外に複数個の共振隔璧Ｗ１、Ｗ２を有するようにしたり、または図２ｃの第２変形例のドライバーＤ１１のように、隔璧の一部が形成されずに、直立した１つの部分共振隔璧ＷＰ１または２つ以上の部分共振隔璧ＷＰ１、ＷＰ２としたり、または、図２ｄの第３変形例のドライバーＤ１２のように部分共振隔璧ＷＰ３、ＷＰ４、ＷＰ５が互いに互い違いになって配設された形態であっても差し支えない。
【００２７】
また、図２ｅ、ｆの変形例のように、ドライバーＤ１３の打面Ｆの後方面でボーディ部ＢＤのキャビティＣＶ内で、はすかいに構成した部分共振隔璧ＷＰ６、ＷＰ７として構成したり、ドライバーＤ１４の打面Ｆの後方面で互いに交差した部分共振隔璧ＷＰ８、ＷＰ９として構成してもよい。
【００２８】
共振隔璧Ｗ、Ｗ１、Ｗ２と部分共振隔璧ＷＰ、ＷＰ１、ＷＰ２は、板状の金属材で、もっと好ましくは外部の打撃によって振動時に該ドライバーのヘッドＨの振動による共振によって音声発生がなされる材質と厚さとするのが好ましい。
【実施例３】
【００２９】
一般的にドライバーＤは全体的に鋳物、鍛造などの機械的な加工方法で製造され、ドライバーＤ１５のヘッドＨを構成することにあって、打面Ｆと打面Ｆに接続して胴体を構成するボーディ部ＢＤが一体に成形または固定されてキャビティＣＶを内方に備える。図３ａに示す本第３実施例では、内部の中空部のキャビティＣＶに附加的な振動発生手段Ｒを附与し、この振動発生手段Ｒは、図３ｂのように、ボーディ部ＢＤの内方のキャビティＣＶ内の、打面Ｆの後ろ側（キャビティ側）の面の質量中心点Ｇから、キャビティＣＶの中央方向に直立したスプリングコイルなどの弾性連結棒６０の端部に、鋼鉄材などの比較的重量のある、つまり所定以上の質量を有する（重めの）金属部材であるボール６１を固定して有するものである。
【００３０】
第３実施例の変形例として、図３ｃのドライバーＤ１６では弾性連結棒６０の代わりに鉄板または弾性金属板材あるいは固定管体などの連結軸６２を使用し、その自由端部に振動管体６３などを固定装着して構成しても同一な作用をする。このような構成から、ボール６１と振動管体６３の重量は、後記の作用効果の説明のように、反復的な実験によって最適の値になり、各種のゴルフクラブの種類とメーカに従って最適の重量は変わるので、具体的な実験のデータは本発明で意味がないのは明白である。
【００３１】
もっと、好ましくは図３ｂまたは３ｃに断面図で図示されるところのように、打面Ｆはその外周縁の厚さＴより中央部の断面の厚さｔが小さいので弾性およびそれによる振動発生がより有効になるようにすることができる。
【００３２】
前述の第２、３実施例の構成のようなドライバーの使用の時には、ゴルフボール（図示せず）の打球の時に打球の状態に従って、第２実施例の共振隔璧Ｗ、Ｗ１、Ｗ２または部分共振隔璧ＷＰ、ＷＰ１、ＷＰ２および第３実施例のボール６１、振動管体６３は、特有のサウンドまたは振動が発生することになる。即ち、適切な打球のときには、これによる正常な打球音の発生またはゴルファーの手に伝わる振動が発生することになり、好ましくないバックスイングなどのミスショットの場合も、これに相応するサウンド発生または振動が発生し、ゴルファーは本実施例のヘッドの反復的な使用によって、もっとも最適の打球時の誘発される発音声を熟知することになり、よって、まちがった打球を抑制することになるので、姿勢の矯正が誘導される効果を有する。
【実施例４】
【００３３】
本発明がアイアンに具現された図４ａの第４実施例では、アイアンに附加して打面Ｆの反対側の背面ＢＧに様々な形状の中空体であるサウンド球７０を備える。サウンド球７０は、様々な形態の附加的な中空体を採用することができ、図４ｂのアイアンＩ１のように、外形がゴルフボールの形状または鋼球形状体を１／２と切断した形状としたり、図４ｃの本実施例の第２変形例のアイアンＩ３のように、１／４切断形状体のサウンド球８０として構成したり、様々な材質の中空体を付着して固定することができる。
【００３４】
このようなサウンド球７０に、図４ａのように、星の形状のサウンド孔７１、７２、７３を穿孔して具備したり、図４ｂの第１変形例でのアイアンＩ２のように、長さが短いスリット形状のサウンドスリット７４、７５、７６としたり、第２変形例の図４ｃのように、サウンド球７０に円形状のサウンド孔８１、８２、８３を穿孔して有するようにすることでサウンドの発生器具が形成できる。本実施例の作用効果は第１実施例と同一である。
【実施例５】
【００３５】
図５ａはサウンド発生器具がパターＰ１に適用された第５実施例であり、例示的に図示されるパターＰ１は、好ましくはヘッドＨの上面板Ｕから後方へ一体として延長されてゴルファーの打球時に視線をガイドするための視線ガイド板ＧＰを有し、ヘッドＨの打面Ｆの後方の中央部には陥入した空間部であるキャビティＣＰを備え、Ｃ−Ｃ断面においてヘッドＨの上面板Ｕと打面Ｆおよび底面板Ｗが、キャビティＣＰを形成する構成とされることが好ましい。
【００３６】
本実施例ではサウンドの発生手段として、キャビティＣＰと視線ガイド板ＧＰ間に別途で製作されたり、または一体で成形されるサウンドユニットＫをさらに有し、サウンドユニットＫは、概略直方体形状のボックス体のユニットボックス１００として金属材、または合成樹脂材で構成されてヘッドＨに具備される。
【００３７】
サウンドユニットＫのユニットボックス１００の内方には、図５ｂに表すように、色々な直径を有する金属などの材質のディスク形状体で、その外周縁に緩衝のための弾性リング１１１がはめ込まれ、弾性リングの下の外周縁にガイド溝１１２を有する一体形のサウンドディスク１１０が収納される。サウンドディスク１１０を収納およびガイドするのは、ヘッドＨの打面Ｆに向かって上向傾斜となるガイドチャンネル１２１であり、ガイドチャンネル１２１の両側のガイドピン１２０は、サウンドディスク１１０のガイド溝１１２にはめ込まれ、サウンドディスク１１０は、ガイドチャンネル１２１に沿って自由にスライド移動が可能となる。ユニットボックス１００の断面は、図５ｃに表すところのように、視線ガイド板ＧＰの後方側へ行くほどに下方へ傾斜したガイドピン１２０を持ち、該ガイドピン１２０が形成する傾斜角ａは、実験により本発明の目的と作用効果に適合するように設定されるのは勿論である。
【００３８】
上記構成の第５実施例の作用効果を説明する。パターＰ１を使用するゴルファーがパッティングの初期の姿勢をとる場合、図５ｃのように、サウンドディスク１１０は、パターＰ１が正常的な水平状態では、ユニットボックス１００の内方で、ガイドピン１２０の傾斜角ａによって、ユニットボックス１００の後方端にあることになる。このような正常状態から、ゴルファーがパティングを行う場合、もしも、急激なバックスイングが誘発されれば、サウンドディスク１１０とガイドピン１２０との摩擦力以上の水平分力が傾斜角ａによって誘発されるから、サウンドディスク１１０は、ユニットボックス１００の内方においてパターＰ１のヘッドＨ側へ移動をするようになる。
【００３９】
従って、この時にサウンドディスク１１０とユニットボックス１００の壁面との衝突による騒音の発生または振動の発生によって、ゴルファーは自身のバックスイングが急激であり正常的な姿勢ではないことを感得することになる。さらに、ダウンスイングの時は、ユニットボックス１００の傾斜角ａによる摩擦力を越える以上の水平分力が誘発されるパティングをしないように注意力を傾けてパティングを行うから、ダウンスイング時にゆっくりとパターＰ１を運用させる効果を更に有する。同一の原理で手首によって急激に誘発されるコーキング現象も防止すことができる。
【００４０】
図５ｄは、上記のサウンドディスク１１０をサウンドボール１３０で交替し、ガイドチャンネル１２１代わりにガイド管１４１を有するユニットボックス１４０とした変形のパターＰ２を図示し、その作用効果は同一である。
【実施例６】
【００４１】
実施例６は、パターＰ３のヘッドＨにサウンド発生手段が具現された場合を示す。パターＰ３は、ヘッドＨの上面板Ｕから後方へ一体で延長されてゴルファーの打球時に視線をガイドするための視線ガイド板ＧＰを有し、ヘッドＨの打面Ｆの後方の中央部には、陥入した空間部であるキャビティＣＰを有し、Ｄ−Ｄ断面で見て、ヘッドＨの上面板Ｕと打面Ｆおよび底面板ＷがキャビティＣＰを形成する構成にされるのが好ましい。そして、ヘッドＨの背面Ｈｇに等間隔で固定された金属板状材で容易に音を発する厚さと材質のサウンドピン１５０、１５１、１５２を複数個付着して構成されており、打撃時のサウンドの発生手段を具現したものである。
【実施例７】
【００４２】
ドライバーＤ１７に具現されたさらに進歩した第７実施例を図７ａ以下と共に発明する。図面は、ヘッドＨの上面であるクラウン部が除去された状態を表している。キャビティＣＶの底面ＯＢでは、シャフト（図示せず）が取り付けられるネック部Ｎに近接して、上方へ傾斜角ｂを形成して固定される様々な素材の中空管体である感知管体１６０が取り付けられている。感知管体１６０は底面ＯＢの装着孔１６２で開放され連結され、後端は閉塞された管体である。
【００４３】
また、図７ｂのように、装着孔１６２の内周縁ではねじ山１６２’が形成され、これに対応するキャップ１６３もねじ山１６３’が形成されており、感知管体１６０の内直径よりもわずかに小さい感応ボールをヘッドＨの外底面１６４から投入してから、キャップ１６３を締めることができる。投入される感応ボール１６１は、やはり金属材などの色々な素材で１つ以上が取り付けられ得る。
【００４４】
上記構成において、感知管体１６０内で、感応ボール１６１は流動が可能に取り付けられ、必要な場合は、感応ボール１６１なしでキャップ１６３を使用して、一般的なゴルフクラブのヘッドのように使用が可能となる。傾斜角ｂは、実験と適用されるドライバーＤ１７の種類および諸元に従って、様々に設定が可能である。
【００４５】
本実施の構成の使用および作用を発明する。図７ｄのドライバーＤ１７の側面の説明図のように、正常な打球の開始直前のドライバーＤ１７のヘッドＨの状態は、感応ボール１６１は、感知管体１６０内に存在しており、感知管体１６０が傾斜角ｂほど、ネック部Ｎ側、即ち、先端側に傾斜しているから、感応ボール１６１は、ネック部Ｎに近接して安定に収容されていることになる。
【００４６】
このような状態から、打球するためにバックスイングをする場合、ドライバーＤ１７のヘッドＨがトップの状態になる以前までは、バックスイングによる慣性力と感知管体１６０の位置による幾何学的な拘束によって、感応ボール１６１は感知管体１６０内の最初の位置で、そのまま存在していることになる。しかしながら、ヘッドＨがトップの状態になって角速度が’０’になれば、感応ボール１６１は慣性力を喪失して、ヘッドＨの位置が逆転された状態で、重力によって感知管体Ｐ内の傾斜面に沿って、下方へ転がることになる。
【００４７】
そして、この状態から、感応ボール１６０は感知管体１６１の端部壁とぶつかるようになり、この時、ゴルファーは手に伝わる感覚と聴覚でトップの地点を感知して、このときから、若干の停止状態以後、ダウンスイングをしなければならないことを知り得る。
【００４８】
図７ｃは、バックスイングのトップの位置においてドライバーＤ１７の内方にある感知管体１６１内で感応ボール１６０の設定位置が逆転可能な感知管体１６１の取り付け角度と方向を例示している。即ち、Ａ−Ａ’方向の傾斜角への取り付け、または、Ｂ−Ｂ’方向の傾斜角への取り付けも可能であることを表している。よって、本実施構成のヘッドの反復的な使用によりゴルファーは、バックスイングとそれによる打球時点の間の好ましい運用を身につけることになり、従って、正確な打球と飛距離の増大を誘導する効果を有する。
【００４９】
上記の実施例により実現される本発明によって、構成されたゴルフクラブのヘッドを使用すれば、バックスイング時の急激な角速度の変化による空気流動体は、様々な種類の発音声器具と協同して音響、即ち、サウンドが誘発されたり、振動発生手段によって振動が発生したりし、これらをゴルファーは感知するようになる。
【００５０】
従って、ゴルファーはこのようなバックスイング時の音声発生が誘発されないようにゆっくりゴルフクラブを運用することになるので、もっとも悪い習慣で身につけやすいバックスイング時の急激なゴルフクラブの運用が矯正され急激なスイング動作が抑制される効果があり、抑制されなければならないヘッドアップの姿勢更に最小化するなどの効果を有する。
【図面の簡単な説明】
【００５１】
【図１ａ】本発明のゴルフクラブのヘッドアセンブリーがドライバーに適用される第１実施例の例示的な斜視図。
【図１ｂ】図１ａのＡ−Ａ線の断面図。
【図１ｃ】第１実施例の第１変形例を表す図１のＡ−Ａ線該当部の断面図。
【図１ｄ】第１実施例の第２変形例を表す斜視図。
【図１ｅ】第１実施例の第３変形例を表す一部の破砕の斜視図。
【図１ｆ】第１実施例の第４変形例を表す斜視図。
【図１ｇ】第１実施例の第５変形例を表す斜視図。
【図１ｈ】第１実施例の第６変形例を表す斜視図。
【図１ｉ】第１実施例の第７変形例を表す斜視図。
【図２ａ】本発明がドライバーに適用された構成を表す第２実施例を表す一部の破砕の斜視図。
【図２ｂ】第２実施例の第１変形例を表す一部の破砕の斜視図。
【図２ｃ】第２実施例の第２変形例を表す一部の破砕の斜視図。
【図２ｄ】第２実施例の第３変形例を表す一部の破砕の斜視図。
【図２ｅ】第２実施例の第４変形例を表す一部の破砕の斜視図。
【図２ｆ】第２実施例の第５変形例を表す一部の破砕の斜視図。
【図３ａ】本発明がドライバーに構成される他の第３実施例を表す斜視図。
【図３ｂ】図３ａのＢ−Ｂ線の断面図。
【図３ｃ】第３実施例の第１変形の断面図。
【図４ａ】本発明がアイアンに適用された構成を表す第４実施例の斜視図。
【図４ｂ】第４実施例の第１変形例がアイアンに適用された斜視図。
【図４ｃ】第４実施例の第２変形例がアイアンに適用された斜視図。
【図５ａ】本発明がパターに適用された第５実施例を表す後方斜視図。
【図５ｂ】図５ａの分解斜視図。
【図５ｃ】図５ａのＣ−Ｃ線の断面図。
【図５ｄ】第５実施例の第１変形例の分解斜視図。
【図６ａ】本発明がパターに適用された第６実施例を表すヘッドの後方斜視図。
【図６ｂ】図６ａのＤ−Ｄ線の断面図。
【図７ａ】本発明がドライバーに適用された第７実施例を表すヘッドのカバーを除外した状態を表す斜視図。
【図７ｂ】図７ａの底面の分解斜視図。
【図７ｃ】第７実施例の変形された構成を表す説明図。
【図７ｄ】第７実施例の使用を説明する打球前の状態のヘッドの断面説明図。
【図７ｅ】第７実施例の使用を説明する打球後の状態を説明する断面説明図。
【符号の説明】
【００５２】
１，２，３  サウンド管
１１，１２，１３，１４  サウンド管
３１，３２，３３，３４  サウンドスリット
４１，４２，４３，４４  サウンド孔
５１，５２，５３，５４  サウンド穿孔
６１  ボール
６３  振動管体
７０，８０  サウンド球
１００  ユニットボックス
１１０  サウンドディスク
１２０  ガイドピン
１２１  ガイドチャンネル
１５０，１５１，１５２  サウンドピン
１６０  感知管体
１６１  感応ボール
１６２  装着孔
１６３  キャップ
【図１ａ】
2007044148.tif 000003
【図１ｂ】
2007044148.tif 000004
【図１ｃ】
2007044148.tif 000005
【図１ｄ】
2007044148.tif 000006
【図１ｅ】
2007044148.tif 000007
【図１ｆ】
2007044148.tif 000008
【図１ｇ】
2007044148.tif 000009
【図１ｈ】
2007044148.tif 000010
【図１ｉ】
2007044148.tif 000011
【図２ａ】
2007044148.tif 000012
【図２ｂ】
2007044148.tif 000013
【図２ｃ】
2007044148.tif 000014
【図２ｄ】
2007044148.tif 000015
【図２ｅ】
2007044148.tif 000016
【図２ｆ】
2007044148.tif 000017
【図３ａ】
2007044148.tif 000018
【図３ｂ】
2007044148.tif 000019
【図３ｃ】
2007044148.tif 000020
【図４ａ】
2007044148.tif 000021
【図４ｂ】
2007044148.tif 000022
【図４ｃ】
2007044148.tif 000023
【図５ａ】
2007044148.tif 000024
【図５ｂ】
2007044148.tif 000025
【図５ｃ】
2007044148.tif 000026
【図５ｄ】
2007044148.tif 000027
【図６ａ】
2007044148.tif 000028
【図６ｂ】
2007044148.tif 000029
【図７ａ】
2007044148.tif 000030
【図７ｂ】
2007044148.tif 000031
【図７ｃ】
2007044148.tif 000032
【図７ｄ】
2007044148.tif 000033
【図７ｅ】
2007044148.tif 000034